(57)【要約】【課題】来訪者の映像履歴を管理しやすく、外出先等からでも来訪者履歴を容易に確認することができる上、娯楽的要素をも含んだインターホンシステムを提供する。【解決手段】モニタ付インターホン親機３に、来訪者が呼び出しを行った際に、カメラ付玄関子機２で撮像した映像を録画する録画部１０と、録画した映像から人物認証を行い第１顔画像データを作成する人物認証部１１と、予め第２顔画像データが記録されている記録部１２と、第１顔画像データと第２顔画像データとを比較して人物を特定する人物特定部１３と、特定された人物に応じてコメント文を作成するコメント作成部１４と、録画部１０に録画されている映像とコメント文とをサーバ５へアップロードするＣＰＵ１５とを備えた。【選択図】図１
2009016927.tif 000002
【特許請求の範囲】
【請求項１】
来訪者をカメラで撮像するとともに居住者を呼び出すためのカメラ付玄関子機と、前記カメラ付玄関子機で撮像した映像を表示するとともに呼び出し応答するためのモニタ付インターホン親機と、前記モニタ付インターホン親機に汎用ネットワークを介して接続されるサーバとで構成されたインターホンシステムであって、
前記モニタ付インターホン親機に、
来訪者が呼び出しを行った際に、前記カメラ付玄関子機で撮像した映像を録画する録画部と、
録画した映像から人物認証を行い第１顔画像データを作成する人物認証部と、
予め第２顔画像データが記録されている記録部と、
前記第１顔画像データと前記第２顔画像データとを比較して人物を特定する人物特定部と、
特定された人物に応じてコメント文を作成するコメント作成部と、
前記録画部に録画されている映像と前記コメント文とを前記サーバへアップロードする制御部と
を備えたことを特徴とするインターホンシステム。
【請求項２】
来訪者をカメラで撮像するとともに居住者を呼び出すためのカメラ付玄関子機と、前記カメラ付玄関子機で撮像した映像を表示するとともに呼び出し応答するためのモニタ付インターホン親機と、前記モニタ付インターホン親機に接続される通信端末と、前記通信端末に汎用ネットワークを介して接続されるサーバとで構成されたインターホンシステムであって、
前記モニタ付インターホン親機に、
来訪者が呼び出しを行った際に、前記カメラ付玄関子機で撮像した映像を録画する録画部と、
前記録画部に録画された映像を前記通信端末に送信する送信部とを備え、
前記通信端末に、
前記モニタ付インターホン親機から送信された映像を受信する受信部と、
前記受信した映像から人物認証を行い第１顔画像データを作成する人物認証部と、
予め第２顔画像データが記録されている記録部と、
前記第１顔画像データと前記第２顔画像データとを比較して人物を特定する人物特定部と、
特定された人物に応じてコメント文を作成するコメント作成部と、
前記映像と前記コメント文とを前記サーバへアップロードする制御部と
を備えたことを特徴とするインターホンシステム。
【発明の詳細な説明】
【技術分野】
【０００１】
本発明は、カメラ付玄関子機が撮像した映像にコメント文を添付してサーバへアップロード可能なインターホンシステムに関するものである。
【背景技術】
【０００２】
従来、来訪者をカメラで撮像するとともに居住者を呼び出すためのカメラ付玄関子機と、カメラ付玄関子機で撮像した映像を表示するとともに呼び出し応答するためのモニタ付インターホン親機とからなるインターホンシステムにおいて、モニタ付インターホン親機に、カメラ付玄関子機が撮像した映像にもとづいて来訪者を特定する人物特定部を備えたものが考案されており、たとえば特許文献１に記載のインターホンシステムにおいては、特定された人物に応じて呼出音を選定して鳴動させるようにしている。
【０００３】
【特許文献１】特開２０００−２８７１９６号公報
【発明の開示】
【発明が解決しようとする課題】
【０００４】
しかしながら、上記特許文献１に記載のインターホンシステムによれば、たとえば留守中等に来訪者があったような場合、どのような来訪者があったのか（来訪者の履歴等）を把握することができないという問題がある。また、モニタ付インターホン親機に、撮像された映像を録画する記憶部を備えたとしても、記憶部の容量等の問題により録画可能な映像には限りがあり、数日又は数週間前の来訪者の映像履歴等を保存し続ける等は現実的ではない。さらに、帰宅しないことには来訪者の履歴を確認することができないといった問題もある。
【０００５】
そこで、本発明は、上記問題に鑑みなされたものであって、来訪者の映像履歴を管理しやすく、外出先等からでも来訪者履歴を容易に確認することができる上、娯楽的要素をも含んだインターホンシステムを提供しようとするものである。
【課題を解決するための手段】
【０００６】
上記目的を達成するために、本発明のうち請求項１に記載の発明は、来訪者をカメラで撮像するとともに居住者を呼び出すためのカメラ付玄関子機と、カメラ付玄関子機で撮像した映像を表示するとともに呼び出し応答するためのモニタ付インターホン親機と、モニタ付インターホン親機に汎用ネットワークを介して接続されるサーバとで構成されたインターホンシステムであって、モニタ付インターホン親機に、来訪者が呼び出しを行った際に、カメラ付玄関子機で撮像した映像を録画する録画部と、録画した映像から人物認証を行い第１顔画像データを作成する人物認証部と、予め第２顔画像データが記録されている記録部と、第１顔画像データと第２顔画像データとを比較して人物を特定する人物特定部と、特定された人物に応じてコメント文を作成するコメント作成部と、録画部に録画されている映像とコメント文とをサーバへアップロードする制御部とを備えたことを特徴とする。
この構成によれば、たとえ留守中に来訪者があった場合であっても、サーバへ接続して、アップロードされている映像及びコメント文を確認することでどのような来訪者があったのかを把握することができるし、外出先等においても来訪者の有無を確認することができ、汎用性に優れている。また、映像データをサーバで記憶管理するため、モニタ付インターホン親機に大容量の記憶手段等を設けることなく従来より多くの来訪者履歴を管理することができ、モニタ付インターホン親機の低コスト化、汎用性の更なる向上等といった効果もある。さらに、ただカメラにて撮像された映像のみをアップロードするのではなく、該映像に加えて来訪者に応じたコメント文を作成しアップロードするため、アップロードされた映像を参照した際の趣向性の向上といった効果もある。
【０００７】
また、上記目的を達成するために、本発明のうち請求項２に記載の発明は、来訪者をカメラで撮像するとともに居住者を呼び出すためのカメラ付玄関子機と、カメラ付玄関子機で撮像した映像を表示するとともに呼び出し応答するためのモニタ付インターホン親機と、モニタ付インターホン親機に接続される通信端末と、通信端末に汎用ネットワークを介して接続されるサーバとで構成されたインターホンシステムであって、モニタ付インターホン親機に、来訪者が呼び出しを行った際に、カメラ付玄関子機で撮像した映像を録画する録画部と、録画部に録画された映像を通信端末に送信する送信部とを備え、通信端末に、モニタ付インターホン親機から送信された映像を受信する受信部と、受信した映像から人物認証を行い第１顔画像データを作成する人物認証部と、予め第２顔画像データが記録されている記録部と、第１顔画像データと第２顔画像データとを比較して人物を特定する人物特定部と、特定された人物に応じてコメント文を作成するコメント作成部と、映像とコメント文とをサーバへアップロードする制御部とを備えたことを特徴とする
この構成によれば、たとえ留守中に来訪者があった場合にも、どのような来訪者があったのかを把握することができるし、外出先等においても来訪者の有無を確認することができ、汎用性に優れている。また、人物の特定に係る構成を通信端末に備えることで、モニタ付インターホン親機の小型化、低コスト化を図ることができるし、映像データをサーバで記憶管理するため、モニタ付インターホン親機や通信端末に備えられている記憶手段の記憶容量を節約することができる。さらに、映像に加えて来訪者に応じたコメント文を作成してアップロードするため、アップロードされた映像を参照した際の趣向性の向上といった効果もある。
【発明の効果】
【０００８】
本発明によれば、たとえ留守中に来訪者があった場合であっても、サーバへ接続して、アップロードされている映像等を確認することでどのような来訪者があったのかを把握することができ、汎用性に優れている。また、ただ映像のみをアップロードするのではなく、映像に加えて来訪者に応じたコメント文をアップロードするため、アップロードされた映像を参照した際の趣向性の向上といった効果もある。
【発明を実施するための最良の形態】
【０００９】
［実施例１］
まず、本発明の第１実施例となるインターホンシステム１について、図１をもとに説明する。図１は、第１実施例に係るインターホンシステム１のブロック構成図である。
インターホンシステム１は、居住者を呼び出すためのカメラ付玄関子機（以下、子機と称す）２と、子機２からの呼び出しに応答するためのモニタ付インターホン親機（以下、親機と称す）３と、親機３に汎用ネットワーク４を介して接続されるサーバ５とからなる。子機２は、来訪者が居住者を呼び出すために操作する呼出ボタン６を備えているとともに、通話のための子機マイク及び子機スピーカ（図示せず）、呼出ボタン６の操作に伴って作動し、来訪者を撮像するカメラ７等を備えてなるもので、住戸の玄関等に設置されている。
【００１０】
一方、親機３は、子機２との間での通信のための親機ＩＦ８、及び通話のための親機マイクや親機スピーカ、カメラ７が撮像した映像を表示するためのモニタ等からなるインターホン機能部９等を備えており、住戸の居室内等に設置されている。また、親機３には、子機２のカメラ７により撮像された映像を録画するための録画部１０、録画部１０に録画された映像にもとづいて来訪者の人物認証を行うための第１顔画像データを作成する人物認証部１１、予め人物毎に第２顔画像データが記録されている記録部１２、第１顔画像データと第２顔画像データとの比較から来訪者が誰であるのかを特定する人物特定部１３、特定された人物に応じてコメント文を作成するコメント作成部１４、及び汎用ネットワーク４を介して録画部１０に録画されている映像とコメント文とをサーバ５へアップロードするＣＰＵ（制御部）１５が備えられている。
【００１１】
録画部１０は、子機２から送信されてくる映像を一時的に録画するためのものであって、略１０分程度の映像を録画可能（１回の呼出ボタン６の操作に伴い略１分間にわたって撮像するとして１０回分の履歴を保存可能）となっており、映像のデータ容量が記憶容量を超過すると、過去の映像から順に消去して新たな映像を更新記憶するようになっている。
【００１２】
人物認証部１１、記録部１２、及び人物特定部１３は、録画部１０に記憶された映像から来訪者を特定するためのものであって、当該特定方法については、様々な方法が考案され実用化されている（たとえば、特許文献１や特開平１０−２８３４７２号公報に開示）。ここで一例を示すと、まず、人物認証部１１において、録画部１０に録画されている映像から肌色検出して顔画像を抽出し、この顔画像の拡大縮小処理を行って第１顔画像データを作成する。次に、人物特定部１３において、第１顔画像データと記録部１２に記録されている第２顔画像データとを重ね合わせ、対応する部分の画素の差をとり、全て足し合わせた数値が所定の閾値未満となる第２顔画像データがある場合、来訪者は当該第２顔画像データに対応する人物であると判定する一方、全ての第２顔画像データに対して所定の閾値以上となれば、登録されていない来訪者であると判定するといった方法がある。
【００１３】
コメント作成部１４は、人物特定部１３において特定された人物に応じてコメント文を作成するためのものである。該コメント作成部１４には、予め数百〜数千の単語が登録されており、特定された人物や特徴に応じてそれらの単語の中から数語をピックアップし、コメント文を作成する。ここで一例を示すと、人物特定部１３において来訪者が新聞屋であると特定された場合には、「新聞屋がきたよ。たぶん集金だ。たまには粗品をもってこいよ」といったコメント文を作成する一方、人物特定部１３において登録されていない来訪者であると特定された場合には、「知らない人がきた。訪問販売か？」といったコメント文を作成する。
【００１４】
ＣＰＵ１５は、人物の特定をうけてコメント作成部１４へコメント文の作成を指令するとともに、作成されたコメント文と録画部１０に録画されている映像とを自動的にサーバ５へアップロードするためのものである。アップロードするサーバ５は予め指定可能となっており、ＣＰＵ１５では、サーバ５に応じて映像及びコメント文の形式を適宜カスタマイズし、たとえばブログ形式等にまとめてアップロードする。尚、サーバ５へは、パーソナルコンピュータや携帯電話等、汎用ネットワーク４への接続機能を有する各種通信端末により接続することができ、当該通信端末を用いることでアップロードされた映像及びコメント文を参照可能となっている。尚、ブログ形式でアップロードされた映像及びコメント文は、一般的なブラウザソフトで閲覧することができ、特別なソフトを必要としない。
【００１５】
以上のような構成を有するインターホンシステム１によれば、来訪者が呼出ボタン６を操作すると、子機１が来訪者を撮像する一方、親機３が、撮像された映像にもとづいて来訪者が誰であるかを特定するとともに、該来訪者に応じてコメント文を作成し、来訪者を撮像した映像及びコメント文を、汎用ネットワーク４を介してサーバ５へ自動的にアップロードする。したがって、たとえ留守中に来訪者があった場合であっても、サーバ５へ接続して、アップロードされている映像等を確認することでどのような来訪者があったのかを把握することができるし、外出先等においても来訪者の有無を確認することができ、汎用性に優れている。また、映像データをサーバ５で記憶管理するため、親機３に大容量の記憶手段等を設けることなく従来より多くの来訪者履歴を管理することができ、親機３の低コスト化、汎用性の更なる向上等といった効果もある。さらに、ただ映像のみをアップロードするのではなく、映像に加えて来訪者に応じたコメント文をアップロードするため、アップロードされた映像を参照した際の趣向性の向上といった効果もある。
【００１６】
［実施例２］
次に、本発明の第２実施例となるインターホンシステム２１について、図２をもとに説明する。図２は、第２実施例に係るインターホンシステム２１のブロック構成図である。尚、上記インターホンシステム１と同様の構成については、同じ符号を付すとともに詳細な説明を省略する。
【００１７】
第２実施例に係るインターホンシステム２１は、子機２と、子機２からの呼び出しに応答するためのモニタ付インターホン親機（以下、親機と称す）２３と、親機２３に接続される通信端末であるパーソナルコンピュータ（以下、パソコンと称す）２４と、汎用ネットワーク４を介して接続されるサーバ５とからなる。親機２３は、親機ＩＦ８やインターホン機能部９に加え、子機２のカメラ７が撮像した映像を録画するための録画部２５、及び録画部２５に録画された映像をパソコン２４へ送信するための送信部２６を備えている。録画部２５は、上記第１実施例における親機３の録画部１０と略同様に構成されるものであって、該録画部２５に新たな映像が録画されると、当該映像を、送信部２６を介してパソコン２４へ送信するようになっている。
【００１８】
一方、パソコン２４は、親機２３と通信可能に接続されており、親機２３から送信された映像を受信して一時的に記憶する受信部２７、受信部２７が受信した映像にもとづいて来訪者の人物認証を行うための第１顔画像データを作成する人物認証部１１、予め人物毎に第２顔画像データが記録されている記録部１２、第１顔画像データと第２顔画像データとの比較から来訪者が誰であるのかを特定する人物特定部１３、特定された人物に応じてコメント文を作成するコメント作成部１４、及び汎用ネットワーク４を介して受信部２７が受信した映像とコメント文とをサーバ５へアップロードするＣＰＵ（制御部）１５が備えられている。
そして、パソコン２４では、受信部２７が受信した映像にもとづいて、上記第１実施例におけるインターホンシステム１と同様の人物の特定を行い、特定した人物に応じてコメント文を作成するとともに、映像及びコメント文をサーバ５へアップロードする。
【００１９】
したがって、第２実施例におけるインターホンシステム２１も、第１実施例のインターホンシステム１同様、たとえ留守中に来訪者があった場合にも、どのような来訪者があったのかを把握することができるし、外出先等においても来訪者の有無を確認することができ、汎用性に優れている。また、人物の特定に係る構成をパソコン２４に備えることで、親機２４の小型化、低コスト化を図ることができるし、映像データをサーバ５で記憶管理するため、親機２３やパソコン２４に備えられている記憶手段の記憶容量を節約することができる。さらに、映像に加えて来訪者に応じたコメント文をアップロードするため、アップロードされた映像を参照した際の趣向性の向上といった効果もある。
【００２０】
なお、本発明のインターホンシステム１、２１に係る構成は、上記実施形態に記載の態様に何ら限定されるものではなく、子機２、親機３、２３、パソコン２４、及びサーバ５等に係る構成を、本発明の趣旨を逸脱しない範囲で、必要に応じて適宜変更することができる。
【００２１】
たとえば、新たな映像及びコメントのアップロードに伴って、サーバ５から予め設定された所定のアドレス（たとえば、携帯電話等の通信端末が有するアドレス）へアップロードを通知するメールが送信されるように構成してもよい。
また、親機３に日時を計時するためのタイマ等を設け、来訪者毎に訪問履歴や訪問回数を記憶させるとともに、コメント作成部１４では、訪問履歴や訪問回数を含んだコメント文を作成する（たとえば「お久し振り。この前来てくれてから２ヶ月もたつけど、何してたの？」「今日、２回目だね」等）ようにしてもよい。さらにまた、アップロードするサーバ５を複数の中から選択可能とし、当該選択に伴って映像やコメント文のカスタマイズも自動的に切り替わるように構成することも可能である。
【００２２】
さらに、登録されていない来訪者があった場合、当該来訪者の第１顔画像データを第２顔画像データとして記憶し、次回からの人物の特定に利用するようにしてもよい。当該構成を採用することで、たとえば不審者が居住者の在宅の有無を確認するために呼出ボタン６を操作したような場合に、同一の不審者の２度目以降の来訪を映像を確認せずとも容易に特定することができる等といった効果がある。
加えて、上記第２実施例においては、通信端末としてパソコン２４を採用しているが、汎用ネットワーク４へ接続可能な通信機能を有しているものであれば、ゲーム機器、テレビ等の電気機器をパソコン２４の代わりに通信端末として採用しても何ら問題はない。
【図面の簡単な説明】
【００２３】
【図１】第１実施例におけるインターホンシステムのブロック構成図である。
【図２】第２実施例におけるインターホンシステムのブロック構成図である。
【符号の説明】
【００２４】
１、２１・・インターホンシステム、２・・子機、３、２３・・親機、４・・汎用ネットワーク、５・・サーバ、６・・呼出ボタン、７・・カメラ、１０、２５・・録画部、１１・・人物認証部、１２・・記録部、１３・・人物特定部、１４・・コメント作成部、１５・・ＣＰＵ（制御部）、、２４・・パソコン（通信端末）、２６・・送信部、２７・・受信部。
【図１】
2009016927.tif 000003
【図２】
2009016927.tif 000004